(57)【要約】【課題】　ロックに役立つ限定ねじ山部分による雌ねじ及び又はネジのねじ山変形が僅かですみ、締め付けモーメントを生成させるために必要な抵抗が、ネジのねじ山と雌ねじの間の大面積接触から得られるセルフロックねじ山を備えたネジを設計する。【解決手段】　ねじ山のフランクの傾斜を維持しながら、ねじ山断面を外側領域において対称的に拡大させ、内側領域において縮小させ、拡大ねじ山断面から縮小ねじ山断面への遷移領域をそれぞれのフランクの略中央に配置し、ねじ山巻きの約１／６周延長する限定ねじ山部分を、各ねじ山巻き上の対称に対向する２つの個所に設ける。【選択図】　　　　図１
2004076943.tif 000002
【特許請求の範囲】
【請求項１】
　ねじ山延長方向に沿う複数の個所において、ねじ山の限定ねじ山部分（８−１２）が半径方向に圧縮されることにより、正規のねじ山断面に対し、ねじ山（３）の外径（２１）は減少するが、断面面積は非変形のねじ山と実質的に同じとなるように変形しているセルフロック転造ねじ山（３）を備えたネジにおいて、
　前記ねじ山の両フランク（１９、２０）の傾斜を維持しながら、前記ねじ山断面は、外周側領域（２２、２３）において、対称的に拡大し、内周領域（２４、２５）において、縮小し、拡大ねじ山断面から縮小ねじ山断面への遷移領域（２６、２７）はそれぞれのフランクの略中央に位置し、前記限定ねじ山部分（８−１２）は、各ねじ山巻き（５、６、７）上の２つの部位において、２つの対称的に対向する前記限定ねじ山部分（８−１２）のそれぞれが、前記ねじ山巻き（５、６、７）を約１／６周するように、延長することを特徴とするセルフロックねじ山を備えたネジ。
【請求項２】
　限定ねじ山部分（８−１２）は、ネジ上の複数の隔離する個所に設けられ、ネジの始端領域（４）には設けられないことを特徴とする請求項１記載のセルフロックねじ山を備えたネジ。
【請求項３】
　限定ねじ山部分（８−１２）を有するねじ山巻き（５、６、７）は、複数、相互に直接に隣接するように設けられることを特徴とする請求項１又は２記載のセルフロックねじ山を備えたネジ。
【請求項４】
　隣接するねじ山巻き（５、６、７）上の限定ねじ山部分（８−１２）は、ねじ山巻きを移る度に、位相が相互に９０゜だけずれることを特徴とする請求項３記載のセルフロックねじ山を備えたネジ。
【発明の詳細な説明】
【技術分野】
【０００１】
　本発明は、ねじ山の延長方向に沿う複数の個所において、ねじ山の限定ねじ山部分を半径方向に圧縮することにより、ねじ山外径は正規のねじ山断面に対して減少するが、断面面積は非変形のものと実質的に同一となるように、ねじ山を変形させてなる転造セルフロックねじ山を備えたネジに関するものである。
【背景技術】
【０００２】
　セルフロックねじ山を備えたネジは、各種のものが公知である。例えば、ＤＥ−ＯＳ２０６２３４２公報には、ねじ山の基底軸を回る雄ねじの巻きを軸方向に頭部から遠ざけ、それにより雌ねじとの特別な摩擦を生じさせることが記載されている。ＤＥ−ＯＳ２２５７１１２公報には、雄ねじの１つの巻きを、リブが延長するように変形することが記載されている。ＤＥ−ＰＳ１５７５２５９公報には、ねじ山の基底軸を回る直線フランクのフランク角が、ねじ山巻きごとに変わるセルフロックねじ山を備えたネジが記載されている。ＤＥ−ＰＳ１７５０２０６公報には、基底軸を回るねじ山のロック領域において、ねじ山厚さを増大することが開示されている。同様な提案として、ＤＥ−ＰＳ１５００９８１公報には、ねじ山のロック領域において、ねじ山の基底軸径を増大し外径を減少することが記載されている。
【０００３】
　最後に、ＤＥ−ＰＳ３７４３０１０公報には、雄ねじにおいて、ねじ山のロック領域
を複数のねじ山巻きに設け、そのロック領域において、ねじ山全体の体積は維持しながら、ねじ山頂を半径方向に押圧し、そのねじ山頂領域を長方形断面とすることが記載されている。
【０００４】
　従来公知のセルフロックねじ山を備えたネジは、ロック部分の形状により、ネジがねじ込まれるとき、雌ねじ又はロック部分のねじ山がかなりの程度に塑性変形することが必要である。これは困難を伴うことであり、特に、ネジ又は雌ねじが硬質材の場合、この困難は顕著になる。
【特許文献１】ＤＥ−ＯＳ２０６２３４２公報
【特許文献２】ＤＥ−ＯＳ２２５７１１２公報
【特許文献３】ＤＥ−ＰＳ１５７５２５９公報
【特許文献４】ＤＥ−ＰＳ１７５０２０６公報
【特許文献５】ＤＥ−ＰＳ１５００９８１公報
【特許文献６】ＤＥ−ＰＳ３７４３０１０公報
【発明の開示】
【発明が解決しようとする課題】
【０００５】
　本発明の課題は、ロックに役立つねじ山の限定ねじ山部分による雌ねじ及び又はネジのねじ山の変形が僅かですみ、高い締め付けモーメントを生成させるために必要な抵抗が、ネジのねじ山と雌ねじの間の最大面積の接触から得られるセルフロックねじ山を備えたネジを設計することである。
【課題を解決するための手段】
【０００６】
　前記課題を達成するため、本発明は、ねじ山のフランクの傾斜を維持しながら、ねじ山断面を外側領域において対称的に拡大させ、内側領域において縮小させ、拡大ねじ山断面から縮小ねじ山断面への遷移領域をそれぞれのフランクの略中央に配置し、ねじ山巻きの約１／６周にわたるねじ山の限定ねじ山部分を、ねじ山巻き上の対称に対向する２つの部位に設ける。
【発明の効果】
【０００７】
　ねじ山の限定ねじ山部分の領域におけるねじ山巻きの圧縮及びそれに伴うねじ山の外径減少は、ネジの転造時、必要な材料にねじ山の外側領域の断面を拡大する処理がなされるということである。その材料は、ねじ山外側領域における上記大面積の接触に有効に寄与する。ねじ山巻きの外側領域は直径が比較的大きいため、ネジの締め付けに対する最大抵抗が特に高い。所望の高いロック効果を得るために必要なねじ山断面の増加は、ネジ又は雌ねじ材料の硬さによるが、比較的小さい。これは、ねじ山の限定ねじ山部分又は雌ねじの対向部分の領域における変形を、ごく僅かの変形とするだけで、必要な安全性の保証が可能となる。上記設計は、ネジ転造に要する負荷を軽減し、締め付けの安全性を向上させる。すなわち、このネジは高い締め付けモーメントを有する。
【発明を実施するための最良の形態】
【０００８】
　ネジに所望の締め付けモーメントを発揮させるためには、ねじ山の限定ねじ山部分を、ネジ上の複数の隔離する個所に設け、ネジの始端領域には限定ねじ山部分を設けないように設計することが有利である。後者の設計は、始にネジが抵抗なく雌ねじに入り、ついでネジが導かれ、それから、ネジはロックする限定ねじ山部分の抵抗に直面する。限定ねじ山部分の数が多い程、ネジに加えなければならない締め付けモーメントも高くなる。
【０００９】
　限定ねじ山部分を備える複数のねじ山を相互に直接に隣接するように設けることが有利である。この場合の結果として、締め付けモーメントは急増する。
【００１０】
　隣接するねじ山が備える限定ねじ山部分は、ねじ山の巻きが移る度に、９０゜だけ位相をずらせることが有利である。結果として、雌ねじに対する圧力も位相がずれる。すなわち、角度的同位置すなわち対向位置にある雌ねじに対する圧力は避けられる。
【実施例】
【００１１】
　本発明の実施例を図面に示す。図１は、限定ねじ山部分を設けた３つのねじ山巻きを備える実施例ネジの側面図、図２は、図１のＩＩ−ＩＩ線に沿う断面図、図３は、図１に示す実施例のねじ山巻きに沿う拡大断面図である。、
【００１２】
　図外の頭部を除くと、図１に示すネジはネジ軸２からなり、そのネジ軸は連続するねじ山３を備え、そのねじ山は連続にネジ始端４まで延長する。ねじ山３の先側半部に示すねじ山巻き５、６、７には、限定ねじ山部分８、９、１０、１１、１２が設けられている。この限定ねじ山部分の設計は図３に基づいて詳細に説明する。
【００１３】
　限定ねじ山部分８、９、１０、１１、１２は、雌ねじにねじ込まれると、所望のセルフロック効果を発揮するネジを有効に形成する。そのために、限定ねじ山部分は特別に設計されている。その設計の一つは、限定ねじ山部分８、９、１０、１１、１２の領域において、ねじ山の外径が半径方向の圧力により減少することである。その他の特別な設計上の特徴については、図３に基づいて詳細に説明する。ネジ始端領域４に続くねじ山の領域に限定ねじ山部分は設けない。その結果、この領域は、ネジが問題なく雌ねじにねじ込まれることを可能にすると共に、ネジがさらにねじ込まれるのに必要な案内をする。
【００１４】
　図２は、図１のＩＩ−ＩＩ線に沿う断面図であり、ハッチングはねじ山の基底軸１３を示す。その基底軸の周囲をねじ山巻き６が延長し、そのねじ山巻き上に２つの限定ねじ山部分１０、１０ａが位置する。ねじ山巻き６の領域のねじ山外径１４と比べると、明らかに、限定ねじ山部分１０、１０ａの領域のねじ山外径は減少している。限定ねじ山部分１０、１０ａの領域に描かれた線は遷移領域１５、１６を表す。この遷移領域については、図３に基づいて詳細に後記する。限定ねじ山部分１０、１０ａの領域は、それぞれねじ山巻きの約１／６周だけ延長し、その中心角は６０゜である。
【００１５】
　図３は、図１に示す実施例のねじ山巻き５、１７に沿う断面図である。図において、ねじ山巻き１７の最高位置１８はねじ山の外径である。ねじ山の２つのフランク１９、２０は対称にかつ直線でねじ山基底軸１３まで延長する。ねじ山巻き５は、ねじ山外径１８に比べると、減少した外径２１を有し、その減少した外径２１はねじ山巻き５の圧縮によるものである。この圧縮の結果として、ねじ山フランクは外側領域２２、２３において拡大するが、ねじ山巻き１７に属するねじ山フランク１９、２０は傾斜を維持する。ねじ山巻き５の未変形ねじ山フランクは１点差線１９’、２０’で描かれている。ねじ山巻き５の内側領域において、フランク２４、２５は１点鎖線１９’、２０’に関して内側にずれている。即ち、ねじ山断面は縮小する。外側領域２２、２３から内側領域２４、２５への遷移領域は符号２６、２７により識別される。この遷移領域は、当然、ねじ山が小さい場合、特に短くなる。この遷移領域２６、２７は、図２においては線１５、１６として示されている。遷移領域２６、２７は、ねじ山巻き５のフランクの略中央に位置するように配される。圧縮にもかかわらず、圧縮されたねじ山巻きのねじ山部分の面積は、ねじ山巻き１７のねじ山部分の面積と同じである。
【図面の簡単な説明】
【００１６】
【図１】限定ねじ山部分が設けられた３つのねじ山巻きを有する実施例ネジの側面図、
【図２】図１のＩＩ−ＩＩ線に沿う断面図、
【図３】図１に示す実施例のねじ山巻きに沿う拡大断面図、
【符号の説明】
【００１７】
２：ネジ軸
３：ねじ山
４：始端領域
５、６、７：ねじ山巻き
８、９、１０、１１、１２：限定ねじ山部分
１３：基底軸
１４：外径
１５、１６：遷移領域
１７：ねじ山巻き
１８：最高位置
１９、２０：フランク
２１：外径
２２、２３：外側領域
２４、２５：内側領域
２６、２７：遷移領域
【図１】
2004076943.tif 000003
【図２】
2004076943.tif 000004
【図３】
2004076943.tif 000005